(57)【要約】      （修正有）【課題】肘掛け昇降機構を提供する。【解決手段】肘掛け昇降機構７は、肘掛けの外側ロッド１の間に中間ロッド部材２を嵌入すると共に、中間ロッド部材２の内部空間に、ばね２２及び内側ロッド部材３が収納され、また肘掛けの外側ロッド１の外周に、上端に押圧具５が枢設される支持座４を覆設し、押圧具５の一端は、内側ロッド部材３の上端に当接すると共に、ばね２２からの押上付勢力を受けることで、他端は常に突出状を呈するように保持され、押圧具５を手部で容易に押し上げて内側ロッド部材３を向下移動するようにさせると共に、中間ロッド部材２の間に貫通するピンロッド１４を内側ロッド部材３の傾斜孔３１に沿って向上移動してばね２２を押し下げると同時に、ピンロッド１４も係合溝１１から抜脱して縦方向細溝１２に移動させることによって、中間ロッド部材２の一端に結合する支持座４は適切な位置決めを得ることが達成される。【選択図】図１
2015217014.tif 000002
【特許請求の範囲】
【請求項１】
肘掛けの外側ロッドと、中間ロッド部材と、内側ロッド部材と、支持座と、押圧具と、肘掛けパッドとを備えて構成される肘掛け昇降機構であって、
前記肘掛けの外側ロッドの両側に、複数本の対応の係合溝が設けられ、そのうちの一側は縦方向細溝であると共に、前記肘掛けの外側ロッドの間に前記中間ロッド部材を嵌入するのを許容し、前記中間ロッド部材の上端に、下向きにばね及び前記内側ロッド部材を収納するための所定深さの空間が形成され、前記中間ロッド部材の下付近方位に、水平方向の溝孔が設けられ、また前記内側ロッド部材の下付近方位に、傾斜孔が設けられることによって、ピンロッドを容易に前記肘掛けの外側ロッドの当該係合溝から導入して前記中間ロッド部材の当該溝孔及び前記内側ロッド部材の当該傾斜孔を貫通し、前記内側ロッド部材は、弾性を常に保持して外向きに頂接することができ、また前記肘掛けの外側ロッドの外周に、上端に前記押圧具が枢設される前記支持座を覆設し、また前記支持座と前記中間ロッド部材との間に定方位結合を行い、そして前記押圧具の一端は、前記内側ロッド部材の上端に当接すると共に、前記ばねからの押上付勢力を受けることで、他端は常に突出状を呈するように保持され、前記支持座の上端が前記肘掛けパッドと結合して前記肘掛け昇降機構が構成され、
なお、前記押圧具を手部で容易に押し上げて前記内側ロッド部材を向下移動するようにさせると共に、前記中間ロッド部材の間に貫通する前記ピンロッドを前記内側ロッド部材の当該傾斜孔に沿って向上移動して前記ばねを押し下げると同時に、前記ピンロッドも前記肘掛けの外側ロッドの当該係合溝から抜脱して一側の前記縦方向細溝まで退避させることによって、前記中間ロッド部材の一端に結合する前記支持座は、自由状態を呈し、必要に応じて適宜な高度調整を容易に行い、また所定高度に達した後に前記押圧具を開放することによって、前記ばねの復元力により前記内側ロッド部材を上向きに頂接すると共に、下端を貫通する前記ピンロッドを再び一側に押し付けるようにさせて前記肘掛けの外側ロッドの対応の当該係合溝に切り込ませ、簡単操作で必要な肘掛けの高度及び適切な位置決めを得ることが達成されることを特徴とする、肘掛け昇降機構。
【請求項２】
前記肘掛け昇降機構の間の前記肘掛けの外側ロッドの所定深さの空間は、一端が比較的広く、かつ他端が比較的狭い台形設置を呈することによって、周辺も台形に設けられる前記内側ロッド部材は、容易に正確な方位に照準納置されることを特徴とする、請求項１に記載の肘掛け昇降機構。
【請求項３】
前記肘掛け昇降機構の間に、前記中間ロッド部材の上端の所定深さの空間に収納される前記内側ロッド部材の一端を、一節の凸部が延設されることによって、前記中間ロッド部材の対応方位の所定深さの条状溝に切り込ませ、設定範囲に昇降することを許容することを特徴とする、請求項１に記載の肘掛け昇降機構。
【請求項４】
前記肘掛け昇降機構の間に、前記肘掛けの外側ロッドを覆設する前記支持座の上端と前記押圧具との結合は、前記支持座の上端の孔の一側に位置している対応部位に、載置部が設けられることを採用することによって、前記押圧具の両傍に延設される一節の枢支部が安定に切り込むことを許容することで、前記押圧具の一端は、弾性を常に保持して前記内側ロッド部材の上端に当接することを特徴とする、請求項１に記載の肘掛け昇降機構。
【発明の詳細な説明】
【技術分野】
【０００１】
本発明は、肘掛け昇降機構に係り、主に座椅子の両側に組み立てる肘掛け昇降機構に対し、より簡易に部品加工を行うと共に、より便利・迅速な操作で部品組立を行い、取り付けの完成が達成されることにより、肘掛け昇降機構の組立体の加工コストを低減させることができる。
【背景技術】
【０００２】
従来、現在業界において座椅子の両側に用いられる肘掛けの組立体の開発設計にあたって、便利に昇降する設置を得るためには、昇降用組立体全体の形態としてそれぞれ各自独特な設計がなされており、使用者は、操作上、簡便な押動により所望の肘掛けの上昇または下降、及び適切な位置決めを容易に達成することができる。
【０００３】
既存の座椅子の肘掛けの昇降用組立体に対し、通常では座椅子の両側に組み立てる支持基礎部と、支持基礎部の外周に覆設される可動的に昇降する肘掛けの連結部材とを備え、前記肘掛けの連結部材と前記支持基礎部との間に押切ユニットを組み立てるのを許容することで、前記押切ユニットは、定方位規制を行う必要がある肘掛けの連結部材の作動、あるいは解放による自由状態に基づいて、肘掛けの連結部材と上端に組み立てる肘掛けとの間に所定高度の昇降変位を容易に行い、必要な高度に達した後に押切ユニットの制御部材を解放すると、肘掛けを架設するための適切な位置決めを得ることが可能となる。
【発明の概要】
【発明が解決しようとする課題】
【０００４】
そして、本発明者にとっては、上述した同種類の座椅子の肘掛け昇降機構の組立に対し、前記肘掛け昇降機構がより簡易に部品加工を行うと共に、より便利・迅速な操作で部品組立を行い、取り付けの完成が達成されることにより、肘掛け昇降機構の組立体の加工コストを低減させることができる、別の新たな形態を如何にして設計するかが問題となる。
【０００５】
本発明は、既存の座椅子の肘掛け昇降機構を基にして部品加工または組立を行って実施することで、別の新たな形態として設計され、その設計では、前記肘掛け昇降機構に含まれる肘掛けの外側ロッドの間に中間ロッド部材を嵌入すると共に、中間ロッド部材の内部空間に、ばね及び内側ロッド部材が収納され、また肘掛けの外側ロッドの外周に、上端に押圧具が枢設される支持座を覆設し、そして前記押圧具の一端は、内側ロッド部材の上端に当接すると共に、ばねからの押上付勢力を受けることで、他端は常に突出状を呈するように保持されることによって、押圧具を容易に押し上げて内側ロッド部材を向下移動するようにさせると共に、その間に貫通するピンロッドを肘掛けの外側ロッドの係合溝から抜脱することによって、中間ロッド部材の一端に結合する支持座は、自由状を呈し、必要に応じて高度調整を行い、また押圧具を開放した後に適切な位置決めが得られる構成を採用する。
【課題を解決するための手段】
【０００６】
本発明の主要目的は、肘掛けの外側ロッドと、中間ロッド部材と、内側ロッド部材と、支持座と、押圧具と、肘掛けパッドとを備えて構成される肘掛け昇降機構を提供することにあり、その中、前記肘掛けの外側ロッドの両側に、複数本の対応の係合溝が設けられ、そのうちの一側は縦方向細溝であると共に、肘掛けの外側ロッドの間に中間ロッド部材を嵌入するのを許容し、前記中間ロッド部材の上端に、下向きにばね及び内側ロッド部材を収納するための所定深さの空間が形成され、中間ロッド部材の下付近方位に、水平方向の溝孔が設けられ、また内側ロッド部材の下付近方位に、傾斜孔が設けられることによって、ピンロッドを容易に肘掛けの外側ロッドの係合溝から導入して中間ロッド部材の溝孔及び内側ロッド部材の傾斜孔を貫通し、前記内側ロッド部材は、弾性を常に保持して外向きに頂接することができ、また肘掛けの外側ロッドの外周に、上端に押圧具が枢設される支持座を覆設し、また支持座と中間ロッド部材との間に定方位結合を行い、そして前記押圧具の一端は、内側ロッド部材の上端に当接すると共に、ばねからの押上付勢力を受けることで、他端は常に突出状を呈するように保持され、支持座の上端が肘掛けパッドと結合して肘掛け昇降機構が構成される。なお、押圧具を手部で容易に押し上げて内側ロッド部材を向下移動するようにさせると共に、中間ロッド部材の間に貫通するピンロッドを内側ロッド部材の傾斜孔に沿って向上移動してばねを押し下げると同時に、前記ピンロッドも肘掛けの外側ロッドの係合溝から抜脱して一側の縦方向細溝まで退避させることによって、中間ロッド部材の一端に結合する支持座は、自由状態を呈し、必要に応じて適宜な高度調整を容易に行い、また所定高度に達した後に押圧具を開放することによって、ばねの復元力により内側ロッド部材を上向きに頂接すると共に、下端を貫通するピンロッドを再び一側に押し付けるようにさせて肘掛けの外側ロッドの対応の係合溝に切り込ませ、簡単操作で必要な肘掛けの高度及び適切な位置決めを得ることが達成される。
【０００７】
本発明の第２の目的は、肘掛け昇降機構の間の肘掛けの外側ロッドの所定深さの空間は、一端が比較的広く、かつ他端が比較的狭い台形設置を呈することによって、周辺も台形に設けられる内側ロッド部材は、容易に正確な方位に照準納置されることを特徴とする、肘掛け昇降機構を提供することにある。
【０００８】
本発明の第３の目的は、肘掛け昇降機構の間に、中間ロッド部材の上端の所定深さの空間に収納される内側ロッド部材の一端を、一節の凸部が延設されることによって、中間ロッド部材の対応方位の所定深さの条状溝に切り込ませ、設定範囲に昇降することを許容することを特徴とする、肘掛け昇降機構を提供することにある。
【０００９】
本発明の第４の目的は、肘掛け昇降機構の間に、肘掛けの外側ロッドを覆設する支持座の上端と押圧具との結合は、支持座の上端の孔の一側に位置している対応部位に、載置部が設けられることを採用することによって、押圧具の両傍に延設される一節の枢支部が安定に切り込むことを許容することで、前記押圧具の一端は、弾性を常に保持して内側ロッド部材の上端に当接することを特徴とする、肘掛け昇降機構を提供することにある。
【図面の簡単な説明】
【００１０】
【図１】本発明の肘掛け昇降機構の関連構成要素の分解図である。
【図２】本発明の肘掛け昇降機構の組立体の側面位置模式図である。
【図３】図２の前面部分断面図である。
【図４】本発明の肘掛け昇降機構の作動前の押圧操作を示す模式図である。
【図５】図４の前面部分断面図である。
【図６】本発明の肘掛け昇降機構の上向き変位作動を示す模式図である。
【図７】図６の前面断面図である。
【図８】本発明の肘掛け昇降機構の押圧具を開放して位置決め状態を呈する模式図である。
【図９】図８の前面部分断面図である。
【発明を実施するための形態】
【００１１】
本発明が設計する肘掛け昇降機構（図１参照）は、肘掛けの外側ロッド１と、中間ロッド部材２と、内側ロッド部材３と、支持座４と、押圧具５と、肘掛けパッド６とを備えて構成される。
【００１２】
その中、前記肘掛けの外側ロッド１の両側に、複数本の対応の係合溝１１が設けられ、そのうちの一側は縦方向細溝１２であると共に、肘掛けの外側ロッド１の間に中間ロッド部材２を嵌入するのを許容する（図３参照、ここでの肘掛けの外側ロッド１の所定深さの空間１３は、一端が比較的広く、かつ他端が比較的狭い台形設置を呈することによって、周辺も台形に設けられる内側ロッド部材３は、容易に正確な方位に照準納置するように保持される）。前記中間ロッド部材２の上端に、下向きにばね２２及び内側ロッド部材３を収納するための所定深さの空間２１が形成され（ここでのばねは、比較的深い空間に入り込むことを許容する）、中間ロッド部材２の下付近方位に、水平方向の溝孔２３が設けられ、また内側ロッド部材３の下付近方位に、傾斜孔３１が設けられることによって、ピンロッド１４を容易に肘掛けの外側ロッド１の係合溝１１から導入して中間ロッド部材２の溝孔２３及び内側ロッド部材３の傾斜孔３１を貫通（図２参照）し、前記内側ロッド部材３は、弾性を常に保持して外向きに頂接することができると共に、中間ロッド部材２の上端の所定深さの空間２１に収納される内側ロッド部材３の一端を、一節の凸部３２が延設されることによって、中間ロッド部材２の対応方位の所定深さの条状溝２４に切り込ませ、設定範囲に昇降することを許容する（図３参照）。また、肘掛けの外側ロッド１の外周に、上端に押圧具５が枢設される支持座４を覆設し、ここでの支持座４の上端と押圧具５との結合は、支持座４の上端の孔４１の一側に位置している対応部位に、載置部４２が設けられる（図１参照）ことを採用することによって、押圧具５の両傍に延設される一節の枢支部５１が安定に切り込む（図３参照）ことを許容することで、前記押圧具５の一端は、弾性を常に保持して内側ロッド部材３の上端に当接する。また、支持座４と中間ロッド部材２との間に定方位結合を行い（ここでの支持座４と中間ロッド部材２との結合方式は、複数個の螺着部材７１の緊締固着により実施される）、そして前記押圧具５の一端は、内側ロッド部材３の上端に当接すると共に、ばね２２からの押上付勢力を受けることで、他端は常に突出状を呈するように保持され、支持座４の上端が肘掛けパッド６と結合して肘掛け昇降機構７が構成される（ここでの肘掛けパッド６と支持座４との結合方式は、複数個の螺着部材７２の緊締固着により実施される）。
【００１３】
上記構成の肘掛け昇降機構７に対し、所定高度を調整して実施する（図４、図５参照）にあたって、肘掛け昇降機構７の一側の押圧具５を手部で押し上げて突出させることで、押圧具５の内付近一端が内側ロッド部材３を下押しして向下移動するようにさせると共に、中間ロッド部材２の間に貫通するピンロッド１４を内側ロッド部材３の傾斜孔３１に沿って向上移動してばね２２を押し下げると同時に、前記ピンロッド１４も肘掛けの外側ロッド１の係合溝１１から抜脱して一側の縦方向細溝１２まで退避させることによって、中間ロッド部材２の一端に結合する支持座４は、自由状態を呈し、必要に応じて適宜な高度調整を容易に行い（図６、図７参照）、また所定高度に達した後に押圧具５を開放する（図８、図９参照）ことによって、ばね２２の復元力により内側ロッド部材３を上向きに頂接すると共に、下端を貫通するピンロッド１４を再び一側に押し付けるようにさせて肘掛けの外側ロッド１の対応の係合溝１１に切り込ませ、簡単操作で必要な肘掛けの高度及び適切な位置決めを得ることが達成される。
【符号の説明】
【００１４】
１              肘掛けの外側ロッド
１１              係合溝
１２              縦方向細溝
１３，２１  空間
１４              ピンロッド
２                  中間ロッド部材
２２              ばね
２３              溝孔
２４        条状溝
３            内側ロッド部材
３１              傾斜孔
３２        凸部
４              支持座
４１              孔
４２              載置部
５                  押圧具
５１          枢支部
６              肘掛けパッド
７                  肘掛け昇降機構
７１，７２  螺着部材
【図１】
2015217014.tif 000003
【図２】
2015217014.tif 000004
【図３】
2015217014.tif 000005
【図４】
2015217014.tif 000006
【図５】
2015217014.tif 000007
【図６】
2015217014.tif 000008
【図７】
2015217014.tif 000009
【図８】
2015217014.tif 000010
【図９】
2015217014.tif 000011
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
肘掛けの外側ロッドと、中間ロッド部材と、内側ロッド部材と、支持座と、押圧具と、肘掛けパッドとを備えて構成される肘掛け昇降機構であって、
前記肘掛けの外側ロッドの両側に、複数本の水平方向に延在する係合溝が設けられ、前記係合溝の一端側は縦方向細溝に連結され、前記肘掛けの外側ロッドの間に前記中間ロッド部材を嵌入するのを許容し、前記中間ロッド部材の上端に、下向きにばね及び前記内側ロッド部材を収納するための所定深さの空間が形成され、前記中間ロッド部材の下付近方位に、水平方向の溝孔が設けられ、また前記内側ロッド部材の下付近方位に、傾斜孔が設けられることによって、ピンロッドを容易に前記肘掛けの外側ロッドの当該係合溝から導入して前記中間ロッド部材の当該溝孔及び前記内側ロッド部材の当該傾斜孔を貫通し、前記内側ロッド部材は、弾性を常に保持して外向きに頂接することができ、また前記肘掛けの外側ロッドの外周に、上端に前記押圧具が枢設される前記支持座を覆設し、また前記支持座と前記中間ロッド部材との間に定方位結合を行い、そして前記押圧具の一端は、前記内側ロッド部材の上端に当接すると共に、前記ばねからの押上付勢力を受けることで、他端は常に突出状を呈するように保持され、前記支持座の上端が前記肘掛けパッドと結合して前記肘掛け昇降機構が構成され、
なお、前記押圧具を手部で容易に押し上げて前記内側ロッド部材を向下移動するようにさせると共に、前記中間ロッド部材の間に貫通する前記ピンロッドを前記内側ロッド部材の当該傾斜孔に沿って向上移動して前記ばねを押し下げると同時に、前記ピンロッドも前記肘掛けの外側ロッドの前記係合溝から抜脱して前記縦方向細溝まで退避させることによって、前記中間ロッド部材の一端に結合する前記支持座は、自由状態を呈し、必要に応じて適宜な高度調整を容易に行い、また所定高度に達した後に前記押圧具を開放することによって、前記ばねの復元力により前記内側ロッド部材を上向きに頂接すると共に、下端を貫通する前記ピンロッドを再び前記係合溝に押し付けるようにさせて前記係合溝に案内し、簡単操作で必要な肘掛けの高度及び適切な位置決めを得ることが達成されることを特徴とする、肘掛け昇降機構。
【請求項２】
前記肘掛け昇降機構の間の前記肘掛けの外側ロッドの所定深さの空間は、一端が比較的広く、かつ他端が比較的狭い台形設置を呈することによって、周辺も台形に設けられる前記内側ロッド部材は、容易に正確な方位に照準納置されることを特徴とする、請求項１に記載の肘掛け昇降機構。
【請求項３】
前記肘掛け昇降機構の間に、前記中間ロッド部材の上端の所定深さの空間に収納される前記内側ロッド部材の一端に一節の凸部が延設されるとともに、前記中間ロッド部材において、前記中間ロッド部材の縦方向に所定深さの条状溝を設けて、前記凸部を前記条状溝に案内することで、前記内側ロッド部材が設定範囲にわたって昇降することを許容することを特徴とする、請求項１に記載の肘掛け昇降機構。
【請求項４】
前記肘掛け昇降機構の間に、前記肘掛けの外側ロッドを覆設する前記支持座の上端と前記押圧具との結合は、前記支持座の上端の孔の一側に位置している部位に、載置部が設けられることを採用することによって、前記押圧具の両傍に延設される一節の枢支部が前記載置部に安定に案内されることを許容することで、前記押圧具の一端は、弾性を常に保持して前記内側ロッド部材の上端に当接することを特徴とする、請求項１に記載の肘掛け昇降機構。